(57)【要約】【課題】  部品を安定して固定することができ、部品を部品用端子に半田付けする際に作業性が良い部品用端子を目的とする。【解決手段】  プリント基板に部品を取付ける際に部品が半田付けされる部品用端子１であって、前記部品を取付けるための部品用取付孔３１，４１を備えた取付部３０，４０、及びプリント基板に取付けるための脚部３８，４６を有する一対の接続部材３，４と、接続部材３，４を装着するための装着孔２１，２２を両端近傍に備えた台座部材２と、を備え、接続部材３、４の部品用取付孔３１、４１の少なくとも一つ以上に切欠３２を設けた部品用端子１である。【選択図】  図１
2006324155.tif 000002
【特許請求の範囲】
【請求項１】
プリント基板に部品を取付ける際に部品が半田付けされる部品用端子であって、
前記部品を取付けるための部品用取付孔を備えた取付部、及びプリント基板に取付けるための脚部を有する一対の接続部材と、
前記接続部材を装着するための装着孔を両端近傍に備えた台座部材と、を備え、
前記接続部材の部品用取付孔の少なくとも一つ以上に切欠を設けた部品用端子。
【請求項２】
請求項１記載の部品用端子において、切欠が設けられた接続部材に切欠の開口側を示すマークを設けたことを特徴とする部品用端子。
【請求項３】
請求項１又は２記載の部品用端子において、接続部材に設けられた部品用取付孔は取付部から脚部に向かって幅が小さくなることを特徴とする部品用端子。
【請求項４】
請求項１〜３のいずれか記載の部品用端子において、接続部材の取付部が台座部材に向かって逆拡開して設けられたことを特徴とする調整部品用端子。
【請求項５】
請求項４記載の部品用端子において、各接続部材の取付部に、部品用端子をプリント基板に取付ける際に押し込むための押込用穴を設けたことを特徴とする部品用端子。
【請求項６】
請求項１〜５のいずれか記載の部品用端子において、台座部材のプリント基板との対向面に、半田渡りを抑制する凹部を設けたことを特徴とする部品用端子。
【発明の詳細な説明】
【技術分野】
【０００１】
本発明は、プリント基板等に部品を取付けるための部品用端子に関するものである。
【背景技術】
【０００２】
従来、抵抗、コンデンサ等の調整部品をプリント基板に取付けるために調整部品用端子は、（特許文献１）に示すように、先端に凹溝が設けられた円柱状の端子を二本用意してプリント基板に必要な間隔で設置し、先端に設けられた凹溝の上に調整部品を載せて半田付けすることで調整部品の取付を行っていた。
【０００３】
【特許文献１】実開昭５４−００９８６８号公報
【発明の開示】
【発明が解決しようとする課題】
【０００４】
しかしながら、上述の調整部品用端子は、凹溝の上に置いただけの構造であるため半田付け前は調整部品が不安定で落下しやすいという問題点があった。また、２つの端子をここに取付けるために、凹溝を一直線上にする必要がありピンの向きを調整する必要があった。さらには、端子として調整部品が取付けやすいようにある程度の直径を有するものを用いるため、半田付けの際に熱が伝わりにくいという問題点があった。
【０００５】
そこで、本発明は上述のような課題を解決するため、部品を安定して固定することができ、部品を部品用端子に半田付けする際に作業性が良い部品用端子を目的とする。
【課題を解決するための手段】
【０００６】
上記課題を解決するため、本発明の部品用端子は、請求項１として、プリント基板に部品を取付ける際に部品が半田付けされる部品用端子であって、前記部品を取付けるための部品用取付孔を備えた取付部、及びプリント基板に取付けるための脚部を有する一対の接続部材と、前記接続部材を装着するための装着孔を両端近傍に備えた台座部材と、を備え、前記接続部材の部品用取付孔の少なくとも一つ以上に切欠を設けたことを特徴とする。
【０００７】
上記構成によれば、部品を取付けるための各取付部が対向するように一対の接続部材が台座部材に所定間隔をあけて設けられているので、調整部品を取付ける際に接続部材の向きを調整する必要がない。また、調整部品は、各接続部材に設けられた部品用取付穴により安定に支持される。そして、部品用取付孔の少なくとも一つには、切欠が設けられているので取付けた部品の取り外しを容易に行うことが可能となる。
【０００８】
また、請求項２は、請求項１記載の部品用端子において、切欠が設けられた接続部材に切欠の開口側を示すマークを設けたことを特徴とする。
【０００９】
上記構成によれば、切欠の開口部が半田などで覆われている場合でも、切欠の開口側が標示される。
【００１０】
また、請求項３は、請求項１又は２記載の部品用端子において、接続部材に設けられた部品用取付孔は取付部から脚部に向かって幅が小さくなることを特徴とする。
【００１１】
上記構成によれば、部品を接続部材の部品用取付孔に取付けた際に、脚部に向かって幅が小さくなるので、様々な径を有する部品を安定して支持することが可能となる。
【００１２】
また、請求項４は、請求項１〜３のいずれか記載の部品用端子において、接続部材の取付部が台座部材に向かって逆拡開して設けられたことを特徴とする。
【００１３】
上記構成によれば、取付部が傾斜しているため部品と部品用取付孔との接触面が大きくなり、部品が安定して支持される。
【００１４】
また、請求項５は、請求項４記載の部品用端子において、各接続部材の取付部に、部品用端子をプリント基板に取付ける際に押し込むための押込用穴を設けたことを特徴とする。
【００１５】
上記構成によれば、取付部が台座部材に向かって逆拡開して設けられ傾斜している場合においても、部品用端子をプリント基板に容易に押し込むことが可能となる。
【００１６】
さらに、請求項６は、請求項１〜５のいずれか記載の調整部品用端子において、台座部材には、プリント基板と対向する面に溝部が設けられたことを特徴とする。
【００１７】
上記構成によれば、半田付けの際に半田が渡るのを防止することができる。
【発明の効果】
【００１８】
本発明の部品用端子によれば、部品を安定して固定することができ、部品を部品用端子に半田付けする際の作業性が良く迅速に取り付けを行うことができる。
【発明を実施するための最良の形態】
【００１９】
以下、本発明を実施するための最良の形態について詳細に説明する。
まず、本発明の部品用端子を実施の形態（１）に基づいて説明する。図１は、実施の形態（１）に係る部品用端子を示す斜視図である。実施の形態（１）に係る部品用端子１は、前記部品を取付けるための部品用取付孔３１，４１を備えた取付部３０，４０、及びプリント基板に取付けるための脚部３８、４６を有する一対の接続部材３，４と、接続部材３，４を装着するための装着孔２１，２２を両端近傍に備えた台座部材２と、を備える。そして、接続部材３，４は、部品用取付孔３１，４１が対向するように装着孔２１，２２に装着されている。
【００２０】
台座部材２は、絶縁性の樹脂材料が用いられ、両端近傍には接続部材３，４を貫通させて装着するための装着孔２１，２２が設けられている。部品用端子１をプリント基板に取付けた際にプリント基板と対向する面には、半田渡りを抑制するために凹部２３が設けられている。そして、凹部２３には、さらに半田渡りの抑制効果を向上させるため溝２４が設けられている。
【００２１】
接続部材３は、薄板状のものが用いられ、図２に示すように、部品用取付孔３１を備えた取付部３０、装着孔２１に固定される固定部３６、及びプリント基板に取付けるための脚部３８を有し、取付部３０、固定部３６、脚部３８の順に幅が小さくなるように形成されている。
【００２２】
取付部３０は、台座部材２に向かって逆拡開するように折曲がった形状に形成されている。そして、取付部３０の折り曲がった部分には押込用穴３５が設けられており、押込用穴３５の下端部には、部品用端子１をプリント基板に押し込む際に、脚部３８方向に沿って押し込む力を作用させることができるような押込面３４が形成される。また、取付部３０の部品用取付孔３１は、部品を取り付け及び取り外しが可能なように切欠３２が設けられている。また、部品用取付孔３１の形状は、様々な径を有する部品を安定して支持することができるように、取付部３０から脚部３８に向かって幅が小さくなるように構成されている。さらに、取付部３０には、切欠３２の開口側が半田などで覆われている場合でも、切欠３２の開口側が標示されるように、切欠３２の開口側を示すマーク３３が設けられている。
【００２３】
固定部３６は、接続部材３を台座部材２の装着孔２１に固定するための部位で、台座部材２の装着孔２１に固定するための凸部３７が設けられている。脚部３８は、プリント基板の挿通孔に取り付けられるものであって、先端部は装着孔２１やプリント基板の挿通孔に取付けやすいように幅が小さくなるように形成されている。
【００２４】
接続部材４は、接続部材３と同様に薄板状のものが用いられ、図３に示すように、部品用取付孔４１を備えた取付部４０、及びプリント基板に取付けるための脚部４６を有する。
【００２５】
取付部４０は、台座部材２に向かって逆拡開するように折曲がった形状に形成されている。そして、取付部４０の折り曲がった部分には押込用穴４２が設けられており、押込用穴４２の下端部には、部品用端子１をプリント基板に押し込む際に、脚部４６方向に沿って押し込む力を作用させることができるような押込面４３が形成される。
【００２６】
固定部４４は、接続部材３の固定部３６と同様の形状を有しており、接続部材４を台座部材２の装着孔２２に固定するための部位で、台座部材２の装着孔２２に固定するための凸部４５が設けられている。脚部４６は、プリント基板の挿通孔に取り付けられるものであって、先端部は装着孔２２やプリント基板の挿通孔に取付けやすいように幅が小さくなるように形成されている。
【００２７】
続いて、実施の形態（１）に係る部品用端子を実際に使用して、コンデンサや抵抗等の部品Ｓを半田付けして取付けた部品用端子１をプリント基板Ｐに装着した状態を図４に示す。図４に示すように、接続部材３，４が台座部材２に対して、部品Ｓを取付けるための部品用取付孔３１，４１が対向するように設けられているので、部品Ｓを取付ける際に接続部材３，４の向きを調整する必要がない。また、部品Ｓは、各接続部材３，４に設けられた部品用取付穴３１，４１により安定に支持される。
【００２８】
さらに、部品用取付孔３１には、切欠３２が設けられているので取付けた部品Ｓの取り付けと取り外しを容易に行うことが可能となる。そして、特に切欠３２の開口側を示すマーク３３が設けられているので半田ｈにより切欠３２が隠れている状態でも部品Ｓの取り外す方向が目視により簡単に確認できる。また、接続部材３，４として薄板状のものを用いているため、熱伝導性が良好で、半田付けを速やかに行うことができる。
【００２９】
また、取付部３０，４０が台座部材２に向かって逆拡開しており取付部３０，４０が傾斜しているため、部品Ｓが部品用取付孔３１，４１と対向する面が大きくなり、部品Ｓは安定して支持される。そして、半田付けの際に半田コテの先端が目視しやすいため作業性が向上する。また、取付部３０，４０の傾斜は、半田が流れ落ちるのを抑制する。
【００３０】
さらに、取付部４０の折り曲がった部分には押込用穴４２が設けられており、押込用穴４２の下端部には押込面４３が形成されており、部品用端子１をプリント基板Ｐに押し込む際に、脚部４６方向に沿って押し込む力を作用させることができ、部品用端子をプリント基板に容易に押し込むことが可能となる。
【００３１】
また、台座部材２には、プリント基板Ｐに取付けた際にプリント基板Ｐと対向する面に凹部２３、さらには溝２４を設けているので、半田が渡るのを抑制し、短絡が生じるのを防止できる。
【００３２】
以上のような部品用端子１は、プリント基板にコンデンサや抵抗等の部品を半田付けして取付ける際に有用である。
【００３３】
なお、上記実施の形態（１）において、接続部材３の部品用取付孔３１にのみ切欠３２が設けられているが、接続部材４の部品用取付孔４１に設けることも可能である。
【００３４】
続いて、本発明の実施の形態（２）に係る部品用端子１Ａは、図５に示すように、接続部材３Ａ，４Ａの取付部３０Ａ，４０Ａが台座部材２Ａに対して垂直に形成されており、押込用孔３５，４２が設けられていない点で異なる以外は、実施の形態（１）に係る部品用端子１と同様である。
【００３５】
実施の形態（２）の部品用端子１Ａによれば、押込用孔３５，４２を設けなくても部品用端子１をプリント基板Ｐに押し込む際に、脚部３８，４６方向に沿って押し込む力を作用させることができる。
【図面の簡単な説明】
【００３６】
【図１】実施の形態（１）に係る部品用端子を示す斜視図である。
【図２】部品用端子に用いる一方のピンの正面図である。
【図３】部品用端子に用いる他方のピンの正面図である。
【図４】実施の形態（１）に係る部品用端子の使用状態を表す図である。
【図５】実施の形態（２）に係る部品用端子を示す斜視図である。
【符号の説明】
【００３７】
１            調整部品用端子
２            台座部材
２１、２２    装着孔
２３          凹部
２４          溝
３            接続部材
３０          取付部
３１          部品用取付孔
３２          切欠
３３          マーク
３４          押込面
３５          押込用穴
３６          固定部
３７          凸部
３８          脚部
４            接続部材
４０          取付部
４１          部品用取付孔
４２          押込用穴
４３          押込面
４４          固定部
４５          凸部
４６          脚部
【図１】
2006324155.tif 000003
【図２】
2006324155.tif 000004
【図３】
2006324155.tif 000005
【図４】
2006324155.tif 000006
【図５】
2006324155.tif 000007